(57)【要約】【課題】本発明は、外観に優れると共に、埃や静電気の侵入を抑制可能な携帯端末装置を提供することを目的とする。【解決手段】携帯電話機１は、表示部側筐体３と、表示部側筐体３を構成し開口３７が形成されたケース体３００ａと、ディスプレイ３０を有すると共に、該ディスプレイ３０が開口３７を介して外部に露出された状態で表示部側筐体３内部に配置されるディスプレイユニットと、ディスプレイ３０を被覆すると共に、外周部がケース体３００ａに取り付けられるトリムプレート３００ｂと、トリムプレート３００ｂにおける外周部の上面を被覆する上面被覆部３０３と、トリムプレート３００ｂにおける側面及びケース体３００ａにおける側面を被覆する側面被覆部３０５とを有するトリムカバー３００ｃと、を備えることを特徴とする。【選択図】図６
2008182597.tif 000002
【特許請求の範囲】
【請求項１】
第１筐体と、
前記第１筐体を構成し開口部が形成されたケース部材と、
表示面を有すると共に、該表示面が前記開口部を介して外部に露出された状態で前記第１筐体内部に配置される表示器と、
前記表示面を被覆すると共に、外周部が前記ケース部材に取り付けられる保護部材と、
前記保護部材における外周部の前記ケース部材とは反対側である上面を被覆する上面被覆部と、前記保護部材における側面及び前記ケース部材における側面を被覆する側面被覆部とを有するカバー部材と、を備えることを特徴とする携帯端末装置。
【請求項２】
前記保護部材には、前記外周部の前記上面に所定幅の窪み部が形成され、
前記カバー部材における前記上面被覆部は、前記窪み部に配置されることを特徴とする請求項１記載の携帯端末装置。
【請求項３】
前記側面被覆部は、前記ケース部材における側面に取り付けられることを特徴とする請求項１又は２に記載の携帯端末装置。
【請求項４】
前記上面被覆部は、該上面被覆部における保護部材側と反対側の外面が前記保護部材における前記表示面側と反対側の外面よりも外方に突出するように配置されることを特徴とする請求項１乃至３のいずれか１項に記載の携帯端末装置。
【請求項５】
第１連結部と、第１筐体の側面に対向して配置され前記第１連結部を介して前記第１筐体に連結される第２筐体と、を更に備え、
前記カバー部材は、前記上面被覆部における前記外面が前記第２筐体の表面と略連続した平面を形成するよう配置されることを特徴とする請求項１乃至４のいずれか１項に記載の携帯端末装置。
【請求項６】
第２連結部と、前記第２連結部を介して前記第２筐体に連結される第３筐体と、を更に備え、
該携帯端末装置は、前記第１筐体と前記第３筐体とにおける互いの表面が対向した状態である第１状態と、前記第１筐体と前記第３筐体とにおける互いの表面が対向しない状態である第２状態とに変形可能であり、
前記カバー部材は、前記第３筐体と対向する側面側に配置されることを特徴とする請求項４に記載の携帯端末装置。
【発明の詳細な説明】
【技術分野】
【０００１】
本発明は、携帯電話機等の携帯端末装置に関する。
【背景技術】
【０００２】
従来、携帯端末装置としての携帯電話機において、携帯電話機を構成する筐体は、所定のケース部材を結合させて形成される。また、筐体には、画像等を表示する表示器が収納されると共に、ケース部材には、表示器により表示される画像が外部から視認可能となるよう所定の開口が形成される。そして、この開口には、筐体に収納される表示器を保護するための保護カバーとしてのトリムカバーが配置されている。
【０００３】
ここで、開口の外周に沿うように凹部を形成してトリムカバーを配置する領域を形成した場合には特に問題はないが、ケース部材の表面にトリムカバーを貼り付けたような場合には、側面方向からトリムカバーとケース部材との接着面が露出するので、外観上の好ましくない場合があった。
【０００４】
これに対し、ＬＣＤ表示器の上面に配置されるトリムプレートがフロントケースの外面に接着されて取り付けられると共に、その側面部にカバー部材が装着された表示部構造が開示されている（例えば、特許文献１参照）。
【特許文献１】特開２００４−２３６１８１号公報
【発明の開示】
【発明が解決しようとする課題】
【０００５】
ここで、特許文献１に開示された携帯電話機における表示構造は、筐体側面にカバー部材が配置されることにより、トリムプレートとフロントケースとの接着面が見えなくなるが、筐体を正面からみた場合には、トリムプレートの端部とカバー部材との継ぎ目が見えることになるので外観上において好ましくない。
【０００６】
また、上述のように、トリムプレートの継ぎ目が露出しているので、そこからゴミや静電気が入りやすくなる場合があった。
【０００７】
本発明は、ケース部材に形成された開口部から表示面が露出するように表示器を配置すると共に該表示面を被覆するように外周部がケース部材に取り付けられた保護部材を有する携帯端末装置において、保護部材の外周上面と保護部材及びケース部材の側面とを被覆するカバー部材を取り付けることで、外観に優れると共に、埃や静電気の侵入を抑制可能な携帯端末装置を提供することを目的とする。
【課題を解決するための手段】
【０００８】
本発明は、第１筐体と、前記第１筐体を構成し開口部が形成されたケース部材と、表示面を有すると共に、該表示面が前記開口部を介して外部に露出された状態で前記第１筐体内部に配置される表示器と、前記表示面を被覆すると共に、外周部が前記ケース部材に取り付けられる保護部材と、前記保護部材における外周部の前記ケース部材とは反対側である上面を被覆する上面被覆部と、前記保護部材における側面及び前記ケース部材における側面を被覆する側面被覆部とを有するカバー部材と、を備えることを特徴とする携帯端末装置に関する。
【０００９】
好ましくは、前記保護部材には、前記外周部の前記上面に所定幅の窪み部が形成され、前記カバー部材における前記上面被覆部は、前記窪み部に配置されることを特徴とする。
【００１０】
また、好ましくは、前記側面被覆部は、前記ケース部材における側面に取り付けられることを特徴とする。
【００１１】
また、好ましくは、前記上面被覆部は、該上面被覆部における保護部材側と反対側の外面が前記保護部材における前記表示面側と反対側の外面よりも外方に突出するように配置されることを特徴とする。
【００１２】
また、好ましくは、第１連結部と、第１筐体の側面に対向して配置され前記第１連結部を介して前記第１筐体に連結される第２筐体と、を更に備え、前記カバー部材は、前記上面被覆部における前記外面が前記第２筐体の表面と略連続した平面を形成するよう配置されることを特徴とする。
【００１３】
また、好ましくは、第２連結部と、前記第２連結部を介して前記第２筐体に連結される第３筐体と、を更に備え、該携帯端末装置は、前記第１筐体と前記第３筐体とにおける互いの表面が対向した状態である第１状態と、前記第１筐体と前記第３筐体とにおける互いの表面が対向しない状態である第２状態とに変形可能であり、前記カバー部材は、前記第３筐体と対向する側面側に配置されることを特徴とする。
【発明の効果】
【００１４】
本発明によれば、ケース部材に形成された開口部から表示面が露出するように表示器を配置すると共に該表示面を被覆するように外周部がケース部材に取り付けられた保護部材を有する携帯端末装置において、保護部材の外周上面と保護部材及びケース部材の側面とを被覆するカバー部材を取り付けることで、外観に優れると共に、埃や静電気の侵入を抑制可能な携帯端末装置を提供することができる。
【発明を実施するための最良の形態】
【００１５】
以下、図面を参照して本発明を実施するための最良の形態を説明する。なお、以下、携帯端末装置として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００１６】
図１から図４により、携帯端末装置としての携帯電話機１における基本構造を説明する。図１は、携帯端末装置としての携帯電話機１を開いた状態（第１開状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。図４は、携帯電話機１の表示部側筐体３を、連結部４の回動軸Ｙを中心にして所定角度回動した状態の斜視図を示す。
【００１７】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００１８】
ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ３０と、操作部側筐体２における表面２Ａに配置される操作キー群１１とが同じ側を向くように配置された状態（図１参照）であり開状態における、裏状態とは、表示部側筐体３におけるディスプレイ３０と操作部側筐体２における操作キー群１１とが反対側を向くように配置された状態をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００１９】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力される音声入力部１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。また、音声入力部１２は、操作部側筐体２の長手方向における連結部４側とは反対の外端部側に配置される。つまり、音声入力部１２は、携帯電話機１が開状態において一方の外端部側に配置される。
【００２０】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２１】
操作部側筐体２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリを充電するための充電端子１９とが設けられている。なお、インターフェース１６、ヘッドホン端子／マイク端子１７及びインターフェース１８は、不使用時において着脱可能な防塵対策用のキャップで覆われている。
【００２２】
操作部側筐体２における他方の側面には、図２（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００２３】
操作部側筐体２のリアケース２ｂには、図３に示すように、被写体を撮像するカメラ部２３と、被写体に光を照射するライト部２４とが露出して配置される。このカメラ部２３とライト部２４とは、操作部側筐体２における連結部４側に配置される。また、操作部側筐体２におけるリアケース２ｂには、バッテリ収容部９２にバッテリ９０を装着するための開口９２ａが形成されると共に、該開口９２ａを塞ぐようにバッテリリッド２５が配置される。
【００２４】
また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２５】
表示部側筐体３は、外面がフロントケース３ａとリアケース３ｂにより構成される。
表示部側筐体３におけるフロントケース３ａには、各種情報を表示するための所定形状のディスプレイ３０と、通話の相手側における音声を出力する音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。
【００２６】
また、表示部側筐体３のリアケース３ｂには、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００２７】
連結部４は、操作部側筐体２と表示部側筐体３とを、開閉軸Ｘを中心にして任意の角度で開閉自在に連結すると共に、回動軸Ｙを中心に任意の角度で回動自在に連結する２軸ヒンジ機構を備える。
【００２８】
連結部４は、一方端４ａ側において図示しない開閉連結部材により操作部側筐体２の上端部と連結されており、他方端４ｂ側において図示しない回動連結部材により表示部側筐体３の下端部と連結されている。
【００２９】
連結部４の一方端４ａには、該連結部４における表面から垂直に突出するように形成される凸形状の開閉部４ｃが形成される。そして、操作部側筐体２の上端部には、この凸形状の開閉部４ｃが挿嵌される凹形状の切り欠き部５が形成される。
【００３０】
この開閉部４ｃの開閉軸Ｘ方向における両側それぞれには、図示しない孔部Ａが形成される。また、操作部側筐体２の切り欠き部５における両内側面には、図示しない孔部Ｂが形成される。そして、凸形状の開閉部４ｃが、凹形状の切り欠き部５に挿嵌された状態において、孔部Ａと孔部Ｂとは互いに近接して対向するよう配置されると共に、孔部Ａと孔部Ｂとの双方に円筒状の開閉連結部材が挿通される。これにより、操作部側筐体２と表示部側筐体３とは、開閉可能に連結される。なお、開閉部４ｃは、操作部側筐体２の上端部に挿嵌される形状であれば良く、特に凸形状に限られず、また、操作部側筐体２の上端部の形状も凹形状に限られない。
【００３１】
また、連結部４の他方端４ｂ側と表示部側筐体３の下端部とは、図示しない回動連結部材により回動自在に連結される。連結部４における表示部側筐体３側の側面には、図示しない孔部Ｃが形成される。また、表示部側筐体３における連結部４側の側面には、図示しない孔部Ｄが形成される。そして、孔部Ｃと孔部Ｄとの双方に回動連結部材が挿通されることで、操作部側筐体２と表示部側筐体３とが回動軸Ｙを中心に回動可能に連結される。つまり、操作部側筐体２と表示部側筐体３とは、表示部側筐体３の表裏状態を切り替え可能に連結される。
【００３２】
携帯電話機１は、上述したように、操作部側筐体２と表示部側筐体３とが連結部４により開閉及び回動可能に連結される。これにより、操作部側筐体２と表示部側筐体３とを、開閉軸Ｘを中心にして開閉させたり、回動軸Ｙを中心にして回動をさせたりすることで携帯電話機１を様々な状態に変形させることができる。
【００３３】
例えば、操作部側筐体２と表示部側筐体３とが互いに重なる状態である閉状態（第１閉状態）の携帯電話機１を、操作部側筐体２及び表示部側筐体３それぞれにおける開閉軸Ｘと反対側の端部が、互いに離間するよう開閉軸Ｘを中心にして開くように変形させることで、操作部側筐体２と表示部側筐体３とが互いに重ならない開状態（第１開状態）にすることができる。
【００３４】
逆に、開状態（第１開状態）の携帯電話機１を、操作部側筐体２及び表示部側筐体３それぞれの開閉軸Ｘと反対側の端部が、互いに近づくよう開閉軸Ｘを中心にして閉じるように変形させることで、閉状態（第１閉状態）にすることができる。
【００３５】
また、開状態（第１開状態）において、図４に示すように、表示部側筐体３を、回動軸Ｙを中心に回動させることができる。更には、表示部側筐体３を更に回動軸Ｙを中心に回転させることで、表示部側筐体３における表裏状態を切り替えることができる。具体的には、表示部側筐体３における表面３Ａに配置されるディスプレイ３０と、操作部側筐体２における表面２Ａに配置される操作キー群１１とが同じ側を向く開状態（第１開状態）から、表示部側筐体３が回動軸Ｙを中心に１８０度回転されて表示部側筐体３における表面３Ａに配置されるディスプレイ３０と、操作部側筐体２における表面２Ａに配置される操作キー群とが反対側を向く開状態（第２開状態）にすることができる。
【００３６】
そして、第２開状態における表示部側筐体３を開閉軸Ｘを中心にして閉じるよう変形させることで、携帯電話機１を閉状態（第２閉状態）にすることができる。つまり、携帯電話機１は、表示部側筐体３におけるディスプレイ３０が、操作部側筐体２における操作キー群１１に対向するよう配置された閉状態（第１閉状態）から、表示部側筐体３におけるディスプレイ３０が、操作部側筐体２に対向せずに表出した状態である閉状態（第２閉状態、ターンクローズ状態）に変形させることができる。
【００３７】
なお、本実施形態においては、連結部４による折り畳み可能な携帯電話機１の説明をしているが、折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（リボルバ）式や、操作部側筐体２と表示部側筐体３とが一つの筐体に配置され連結部を有さない型式（ストレートタイプ）でもよい。
【００３８】
次いで、図５により、表示部側筐体３の内部構造について説明する。図５は、表示部側筐体３の分解斜視図を示す。
【００３９】
表示部側筐体３は、図５に示すように、フロントケース３ａと、ディスプレイユニット１００と、金属フレーム１１０と、基準電位部としての基準電位パターン層及びディスプレイ用の電子部品を備える回路基板１２０と、サブディスプレイユニット１３０と、リアケース３ｂと、を備える。
【００４０】
フロントケース３ａとリアケース３ｂとは、互いの凹状の内側面が向き合うように配置されると共に、互いの外周縁が重なり合うようにして結合される。また、フロントケース３ａとリアケース３ｂとの間には、ディスプレイユニット１００と、金属フレーム１１０と、回路基板１２０と、サブディスプレイユニット１３０とが、フロントケース３ａ側からこの順番で収納配置される。
【００４１】
フロントケース３ａは、ケース部材としてのケース体３００ａと、ケース体３００ａにおけるディスプレイユニット１００とは反対側にその外周部が取り付けられる保護部材としてのトリムプレート３００ｂと、トリムプレート３００ｂにおけるケース体３００ａとは反対側の面における連結部４側の端部に配置されるカバー部材としてのトリムカバー３００ｃと、を備える。フロントケース３ａを構成するケース体３００ａ、トリムプレート３００ｂ及びトリムカバー３００ｃについては後に詳述する。
【００４２】
表示器としてのディスプレイユニット１００は、表示面としてのディスプレイ３０と、該ディスプレイ３０を固定するホルダーとにより構成されている。このディスプレイユニット１００は、ディスプレイ３０が開口３７を介して外部に露出した状態で配置される。
【００４３】
金属フレーム１１０は断面がＨ字状の部材であり、フロントケース３ａ側及びリアケース３ｂ側に、浅い凹状の収容部が形成される。そして、金属フレーム１１０におけるフロントケース３ａ側の収容部にはディスプレイユニット１００が収容配置され、リアケース３ｂ側の収容部には回路基板１２０が収容配置される。ここで、金属フレーム１１０は、表示部側筐体３における曲げ動作や捩り動作に対する剛性確保のための補強部材及び静電対策用のシールドとして機能する。
【００４４】
回路基板１２０は、上述のように金属フレーム１１０に形成される収容部に収容配置される。回路基板１２０におけるリアケース３ｂ側の実装面には、図示しない各種電子部品が配置される。上述した音声出力部３１は、回路基板１２０の実装面における連結部４とは反対の端部側に配置される。また、実装面に配置される各種電子部品は、所定の組み合わせによりディスプレイ３０やサブディスプレイ３２の表示態様やそのタイミング等の表示制御を行う表示制御ブロック等の回路ブロックを形成する。
【００４５】
サブディスプレイユニット１３０は、サブディスプレイ３２と、該サブディスプレイ３２とを固定するホルダーとにより構成されている。サブディスプレイユニット１３０は、リアケース３ｂと回路基板１２０とに挟まれるように配置される。つまり、サブディスプレイユニット１３０は、フロントケース３ａとリアケース３ｂとにより挟み込まれることで加えられる力により、回路基板１２０を金属フレーム１１０側に押し付けるように押圧する。また、サブディスプレイユニット１３０は、上述のように、リアケース３ｂに形成される窓部３ｃから表出するように配置される。
【００４６】
続けて、図５から図１０により、フロントケース３ａの構造について説明する。図６は、フロントケース３ａの分解斜視図を示す。図７は、トリムカバー３００ｃの斜視図を示す。図８は、第２閉状態における携帯電話機１の断面図を示す。図９は、図８の領域Ａにおける拡大図を示す。図１０は、第１閉状態における携帯電話機１の断面図を示す。
【００４７】
図５及び図６に示すように、ケース体３００ａは、ディスプレイユニット１００の外形よりも小さいく、ディスプレイ３０と略同じ大きさである長方形状の開口３７が形成される。開口３７からは、ディスプレイ３０が外部に視認可能に露出される。また、開口３７の外周には段差部３７ａが形成され、この段差部３７ａには、後述するアクリルにより形成される光透過性である板状のトリムプレート３００ｂが載置される。ここで、段差部３７ａは、連結部４側を除き、壁部３７ｂによりその外周を囲まれる。
【００４８】
図５から図９に示すように、トリムプレート３００ｂは、ケース体３００ａに形成された段差部３７ａに載置され、開口３７を被覆するように配置される。つまり、トリムプレート３００ｂは、ディスプレイ３０を被覆するように配置される。このトリムプレート３００ｂは、段差部３７ａと該トリムプレート３００ｂの外周との間に配置される接着部材３１０によりケース体３００ａに取り付けられる。ここで、段差部３７ａにおける連結部４側には壁部３７ｂが形成されていないので、連結部４側の側面において、トリムプレート３００ｂとケース体３００ａ本体とが接合された接合部分が外部に露出する。
【００４９】
また、トリムプレート３００ｂの外周部におけるケース体３００ａとは反対側である上面には、トリムプレート３００ｂにおける厚さが薄くなるように形成された所定幅の窪み部としての段差部３０１が形成される。
【００５０】
図５から図７に示すように、トリムカバー３００ｃは、上面被覆部３０３と、該上面被覆部３０３の一端に垂直に連結される側面被覆部３０５とにより構成される。具体的には、トリムカバー３００ｃは、トリムプレート３００ｂの外周部におけるケース体３００ａとは反対側である上面を被覆する上面被覆部３０３と、トリムプレート３００ｂにおける側面及びケース体３００ａにおける側面を被覆する側面被覆部３０５とを有する。
【００５１】
上面被覆部３０３は、連結部４側の端部側が厚くなるように形成されると共に、外面には副操作キー群３３のキー・アサインの内容を示す指示部３３ａが形成される。また、側面被覆部３０５は、略等厚になるよう形成されると共に、幅方向中央にはヒンジ部材を挿通させる半円状の切り欠き３０５ａが形成される。
【００５２】
図５から図９に示すように、トリムカバー３００ｃは、上面被覆部３０３がトリムプレート３００ｂに形成される段差部３０１に載置されるようにして該トリムプレート３００ｂの端部に配置される。トリムカバー３００ｃは、上面被覆部３０３と段差部３０１との間に配置される接着部材３１３により、トリムプレート３００ｂに取り付けられる。
【００５３】
そして、トリムカバー３００ｃがトリムプレート３００ｂの端部に配置された状態において、上面被覆部３０３におけるトリムプレート３００ｂ側とは反対側の外面３０３Ａは、トリムプレート３００ｂにおけるディスプレイユニット１００側とは反対側の外面３００Ａよりも外方に突出するように配置される。つまり、表示部側筐体３の正面において、トリムカバー３００ｃの外面３０３Ａが突出する。
【００５４】
図５から図９示すように、トリムカバー３００ｃは、側面被覆部３０５がトリムプレート３００ｂの側面及びケース体３００ａの側面を被覆するように配置される。言い換えると、側面被覆部３０５は、トリムプレート３００ｂとケース体３００ａとの接合部分を被覆するように配置される。そして、トリムプレート３００ｂは、外周部の内面と、ケース体３００ａの上面との間に配置される両面テープ等の接着部材３１０によりケース体３００ａに取り付けられる。
【００５５】
ここで、図９に示すように、トリムカバー３００ｃは、上面被覆部３０３がトリムプレート３００ｂの連結部４側の端部に形成される段差部３０１の上面接合され、側面被覆部３０５がケース体３００ａの側面（連結部４側の端面）に接合されることでトリムプレート３００ｂが取り付けられる。この側面被覆部３０５は、第２筐体としての連結部４に対向する側面に配置される。
【００５６】
また、図８及び図９に示すように、トリムカバー３００ｃの外面３０３Ａは、連結部４における外面４Ａと略連続した平面を形成する。言い換えると、外面３０３Ａと外面４Ａとは、厚さ方向において略同じ位置になるよう形成される。
【００５７】
図１０に示すように、携帯電話機１が第１閉状態である場合、トリムカバー３００ｃは、第３筐体としての操作部側筐体２に対向する側面である表面３Ａ側に配置される。携帯電話機１が第１閉状態である場合、トリムプレート３００ｂの外面３００Ａよりも厚さ方向に突出するトリムカバー３００ｃの外面３０３Ａが、操作部側筐体２の表面２Ａに当接する。具体的には、携帯電話機１が第１閉状態である場合、トリムカバー３００ｃの外面３０３Ａは、操作部側筐体２の表面２Ａから突出するように形成される突起部５０ａに当接するように配置される。更には、操作部側筐体２の連結部４側と反対の端部側に表面２Ａから突出するように形成される突起部５０ｂには、表示部側筐体３における連結部４側とは反対側の端部側における所定部が当接する。これにより、携帯電話機１が第１閉状態である場合、トリムプレート３００ｂは操作部側筐体２から離間した状態で保持される。
【００５８】
本実施形態によれば、トリムプレート３００ｂの外周上面とトリムプレート３００ｂ及びケース体３００ａの側面とを被覆するトリムカバー３００ｃを取り付けることで、外観に優れると共に、埃や静電気の表示部側筐体３内への侵入を抑制可能な携帯電話機１を提供できる。
【００５９】
本実施形態によれば、トリムプレート３００ｂにおける外周部の上面に段差部３０１が形成され、トリムカバー３００ｃにおける上面被覆部３０３が肉薄に形成された段差部３０１に配置されるので、トリムカバー３００ｃを位置決めができると共に、携帯電話機１を薄型化できる。
【００６０】
本実施形態において、トリムカバー３００ｃは、側面被覆部３０５がケース体３００ａの側面に取り付けられるので、トリムプレート３００ｂがケース体３００ａとトリムカバー３００ｃとにより挟持される。これにより、トリムプレート３００ｂの取り付け強度を高めることができる。よって、携帯電話機１が落下した際に受ける衝撃により、トリムプレート３００ｂがケース体３００ａから離脱することを抑制できる。
【００６１】
本実施形態において、トリムカバー３００ｃは、上面被覆部３０３におけるトリムプレート３００ｂ側とは反対側の外面３０３Ａが、トリムプレート３００ｂにおけるディスプレイユニット１００側とは反対側の外面３００Ａよりも外方に突出するように配置されるので、第１閉状態において、トリムプレート３００ｂの外面３００Ａが操作部側筐体２の表面２Ａから離間して配置される。これにより、トリムプレート３００ｂの外面３００Ａにキズがつくことを抑制できる。
【００６２】
本実施形態において、携帯電話機１が第１閉状態である場合、トリムカバー３００ｃは、第３筐体としての操作部側筐体２に対向する側面である表面３Ａ側に配置されると共に、トリムプレート３００ｂの外面３００Ａよりも厚さ方向に突出するトリムカバー３００ｃの外面３０３Ａが、操作部側筐体２の表面２Ａに当接する。これにより、トリムプレートの外面３００Ａにキズが付くことを抑制できると共に、ディスプレイユニット１００にかかる荷重を抑制で、該ディスプレイユニット１００の破損を抑制できる。
【００６３】
本実施形態において、トリムカバー３００ｃの外面３０３Ａは、連結部４における外面Ａと略連続した平面を形成するように形成される。これにより、携帯電話機１における外観が良好にできる。
【００６４】
本実施形態において、トリムカバー３００ｃの上面被覆部３０３が、トリムプレート３００ｂとケース体３００ａとが両面テープ等により接合される接合部分を被覆するように配置されるので、接合される部分を隠すために施される印刷を簡略化又は省略できる。
【００６５】
本実施形態において、ケース体３００ａの段差部３７ａを囲む壁部３７ｂが、連結部４側の外周には形成されないようにしたので、トリムプレート３００ｂを接合する部分である段差部３７ａの面積を広くできる。これにより、ディスプレイ３０が大きい場合でも十分な接合面積を確できるので、ディスプレイユニット１００の離脱を抑制できる。
【００６６】
本実施形態において、所定幅の上面被覆部３０３及び所定幅の側面被覆部３０５を有するＬ字状のトリムカバー３００ｃにより、トリムプレート３００ｂの外周部と、トリムプレート３００ｂの側面及びフロントケース３ａの側面とが被覆されるので、表示部側筐体３内部までの沿面距離を長くすることができる。これにより、携帯電話機１における静電気耐性、防水性や防塵性が向上される。
【００６７】
以上、本形態の好適な実施形態について説明したが、本発明は上述した実施形態に限定されることなく種々の形態で実施することができる。本実施形態において、トリムカバー３００ｃは、側面被覆部３０５が接着剤や接着テープ等の接着部材３１５によりケース体３００ａの側面に取り付けられているが、これに限定されず、図１１に示すように、ケース体３００ａの側面に形成される被係合部３１６ｂに、側面被覆部３０５に形成される凸状の係合部３１６ａを係合させる係合機構等により取り付けてもよい。なお、被係合部３１６ｂと係合部３１６ａとを逆に配設してもよい。
【００６８】
また、本実施形態において、トリムカバー３００ｃは、側面被覆部３０５が接着部材３１５によりケース体３００ａの側面に取り付けられると共に、上面被覆部３０３が接着部材３１３によりトリムプレート３００ｂの段差部３０１に取り付けられるが、これに限定されず、側面被覆部３０５を接着部材３１５によりケース体３００ａの側面に取り付けるだけでトリムカバー３００ｃを固定してもよい。この場合にも、トリムプレート３００ｂはトリムカバー３００ｃの上面被覆部３０３とケース体３００ａとによって挟持されるので、トリムプレート３００ｂがケース体３００ａから離脱することを抑制できる。
【００６９】
また、本実施形態において、トリムカバー３００ｃは、表示部側筐体３における連結部４側の側面に配置されるが、これに限定されず、表示部側筐体３における他の側面に配置してもよい。なお、本実施形態では、携帯電話機１を用いて説明したが、その他の携帯端末装置にも適用可能である。
【図面の簡単な説明】
【００７０】
【図１】携帯端末装置としての携帯電話機１を開いた状態（第１開状態）における正面図を示す。
【図２】（Ａ）携帯電話機１を開いた状態における左側面図を示し、（Ｂ）携帯電話機１を開いた状態における右側面図を示す。
【図３】携帯電話機１を開いた状態における背面図を示す。
【図４】携帯電話機１の表示部側筐体３を、連結部４の回動軸Ｙを中心にして所定角度回動した状態の斜視図を示す。
【図５】表示部側筐体３の分解斜視図を示す。
【図６】フロントケース３ａの分解斜視図を示す。
【図７】トリムカバー３００ｃの斜視図を示す。
【図８】第２閉状態における携帯電話機１の断面図を示す。
【図９】図８の領域Ａにおける拡大図を示す。
【図１０】第１閉状態における携帯電話機１の断面図を示す。
【図１１】他の実施形態における領域Ａに相当する領域の拡大図を示す。
【図１２】他の実施形態における領域Ａに相当する領域の拡大図を示す。
【符号の説明】
【００７１】
１      携帯電話機
２      操作部側筐体
３      表示部側筐体
３ａ    フロントケース
４      連結部
３０    ディスプレイ
３７    開口部
１００  ディスプレイユニット
３００ａ  ケース体
３００ｂ  トリムプレート
３００ｃ  トリムカバー
３０３    上面被覆部
３０５    側面被覆部
【図１】
2008182597.tif 000003
【図２】
2008182597.tif 000004
【図３】
2008182597.tif 000005
【図４】
2008182597.tif 000006
【図５】
2008182597.tif 000007
【図６】
2008182597.tif 000008
【図７】
2008182597.tif 000009
【図８】
2008182597.tif 000010
【図９】
2008182597.tif 000011
【図１０】
2008182597.tif 000012
【図１１】
2008182597.tif 000013
【図１２】
2008182597.tif 000014